(57)【特許請求の範囲】
【請求項１】
筆記及び消去が可能なシート体であって、
裏面にマグネットシートが形成されたシートと、該シートの一側に取り付けられた少なくとも一つの第１永久磁石と、上記シートの他側に取り付けられた少なくとも一つの第２永久磁石と巻取り具とを有し、該巻取り具は、筒体と、該筒体の両端にそれぞれ取り付けられたキャップと、該キャップに取り付けられた留め具と、該留め具に連結され留め具を上記筒体の内部に付勢する弾性部材とを備え、上記第１永久磁石は、その両端にそれぞれ取り付けられたカバーを備え、非使用時、上記シートを上記巻取り具に巻回し、上記留め具を上記弾性部材の弾性力に抗して引き出して上記留め具を上記カバーに形成された切り欠きに係止することにより上記シートを上記巻取り具に保持する一方、使用時、上記留め具と上記カバーの切り欠きとの係止を解除し、上記シートを上記巻取り具より展張して上記マグネットシートと上記第１及び第２永久磁石を被磁着体に磁着させることにより保持するようにした巻取り具付き筆記用シート体。
【請求項２】
上記巻取り具が軸方向に形成された凹部を有し、該凹部に上記第２永久磁石を固定した請求項１に記載の巻取り具付き筆記用シート体。
【請求項３】
上記第１永久磁石を上記シートの上端部及び下端部に取り付けられた二つの永久磁石で構成し、該二つの永久磁石の間にスペーサを取り付ける一方、上記第２の永久磁石を上記シートの上端部、下端部及びその間に取り付けられた三つの永久磁石で構成した請求項１あるいは２に記載の巻取り具付き筆記用シート体。
【請求項４】
上記シートとして筆記ボード／反射型スクリーン両用シートを使用した請求項１乃至３のいずれか１項に記載の巻取り具付き筆記用シート体。
【発明の詳細な説明】
【０００１】
【発明の属する技術分野】
本発明は、黒板あるいはホワイトボード用シート、プロジェクタ用スクリーン、これらの兼用シート等のシート状部材に関し、特に、シート状部材の巻取りに使用される巻取り具を備えた筆記用シート体に関する。
【０００２】
【従来の技術】
近年、従来の黒板に代わり、水性あるいは油性インキのフェルトペン等で筆記し、拭き取ることにより消去できるホワイトボードと称される筆記板が普及している。このホワイトボードの筆記面を構成する筆記層は、各種ボード上に貼付して黒板と同様な形態で使用されたり、巻取りのできる軟質のシートとして例えば電子写真複写装置と組み合わせて、筆記した文字、図形等を直ちに複写できる製品にも用いられている。
【０００３】
最近では、上記のように筆記及び消去が可能なシートを映写機等のプロジェクタ用反射型スクリーンとしても使用できるようにした筆記ボード／反射型スクリーン両用シートも各種提案され、実用化されている（例えば、特開平６−２７５３２号公報、特開平９−２３０５０６号公報、特開平１０−２８７０９１号公報等）。
【０００４】
このようなシートは、使用後は通常巻き取って紐でくくるか、あるいは、所定の筒に入れて収納している。
【０００５】
【発明が解決しようとする課題】
しかしながら、シート状のものをただ単に巻き取って収納しただけでは、巻取り回数が増加するにつれてシート面に皺が発生したり、巻取り径が小さ過ぎるとクラックや皺が発生して、筆記性能あるいはスクリーン性能が低下したり、シートの両端部に反りが発生するという問題があった。
【０００６】
本発明は、従来技術の有するこのような問題点に鑑みてなされたものであり、シートにクラックや皺が発生したり、その両端部に反りが発生したりすることのない利便性の向上した信頼性の高い巻取り具付き筆記用シート体を提供することを目的としている。
【０００７】
【課題を解決するための手段】
上記目的を達成するために、本発明のうちで請求項１に記載の発明は、筆記及び消去が可能なシート体であって、裏面にマグネットシートが形成されたシートと、該シートの一側に取り付けられた少なくとも一つの第１永久磁石と、上記シートの他側に取り付けられた少なくとも一つの第２永久磁石と巻取り具とを有し、該巻取り具は、筒体と、該筒体の両端にそれぞれ取り付けられたキャップと、該キャップに取り付けられた留め具と、該留め具に連結され留め具を上記筒体の内部に付勢する弾性部材とを備え、上記第１永久磁石は、その両端にそれぞれ取り付けられたカバーを備え、非使用時、上記シートを上記巻取り具に巻回し、上記留め具を上記弾性部材の弾性力に抗して引き出して上記留め具を上記カバーに形成された切り欠きに係止することにより上記シートを上記巻取り具に保持する一方、使用時、上記留め具と上記カバーの切り欠きとの係止を解除し、上記シートを上記巻取り具より展張して上記マグネットシートと上記第１及び第２永久磁石を被磁着体に磁着させることにより保持するようにしたことを特徴とする。
【０００８】
また、請求項２に記載の発明は、上記巻取り具が軸方向に形成された凹部を有し、該凹部に上記第２永久磁石を固定したことを特徴とする。
【００１０】
また、請求項３に記載の発明は、上記第１永久磁石を上記シートの上端部及び下端部に取り付けられた二つの永久磁石で構成し、該二つの永久磁石の間にスペーサを取り付ける一方、上記第２の永久磁石を上記シートの上端部、下端部及びその間に取り付けられた三つの永久磁石で構成したことを特徴とする。
【００１１】
また、請求項４に記載の発明は、上記シートとして筆記ボード／反射型スクリーン両用シートを使用したことを特徴とする。
【００１２】
【発明の実施の形態】
以下、本発明の実施の形態について、図面を参照しながら説明する。
図１は、本発明にかかる巻取り具付きシート体Ｓを示しており、シート２と、このシート２の片側に設けられ、シート２を巻き取るための巻取り具４とを備えている。
【００１３】
シート２としては、例えば筆記ボード／反射型スクリーン両用シートが使用され、このシートには、プラスチックフィルム等の基材の表面及び裏面に特殊コート層及びマグネットシートがそれぞれ設けられている。シート２のサイズとしては、例えば１２００〜１８００ｍｍＬ×９００ｍｍＨのものが使用される。
【００１４】
図２に示されるように、シート２の片側には、シート２の高さより短い帯状（例えば、約１０ｍｍ幅）の永久磁石６が貼着されており、永久磁石６の上下（シート２の片側の上下端）には、それぞれ一つの矩形状の永久磁石８，８（図２では一つだけ示した）が貼着されている。永久磁石８，８の各々には、断面Ｕ字状の鉄板１０，１０が取り付けられており、永久磁石８，８の厚みと鉄板１０，１０の厚みの和は、永久磁石６の厚みにほぼ等しく設定されている。
【００１５】
また、巻取り具４は、シート２の巻取り部である円筒状の筒体１２と、その両端に取り付けられた２つのキャップ１４，１４（図２では一つだけ示した）から成る。筒体１２は、例えばアルミニウム製で、キャップ１４，１４はプラスチック等の材料から製作され、キャップ１４，１４は、キャップ１４，１４に形成されたリブを介して、あるいは、両面テープ等により筒体１２に取り付けられる。
【００１６】
筒体１２には、軸方向に延びる凹部１２ａが形成されており、軸方向に垂直な凹部１２ａの断面は略Ｕ字状を呈している。この凹部１２ａの深さは、永久磁石８，８と鉄板１０，１０の厚みあるいは永久磁石６の厚みにほぼ等しく設定されており、永久磁石８，８と鉄板１０，１０、及び、永久磁石６は凹部１２ａに収容され固定される。
【００１７】
また、キャップ１４，１４は、筒体１２と同一直径の円形係止部１４ａ，１４ａを有し、その各々に、留め具１６，１６が取り付けられている。留め具１６，１６は、筒体１２の内部に係止されたスプリングあるいは他の弾性部材１８，１８により筒体１２の内部方向に常に付勢されている。さらに係止部１４ａ，１４ａの一部は直線状に切り欠かれており、切り欠き部１４ｂ，１４ｂの端面は、シート２の裏面とほぼ面一となっている（図５参照）。
【００１８】
図３及び図４に示されるように、巻取り具４が設けられた端部とは反対側のシート端部には、シート２の高さより短い、例えば約１０ｍｍ幅の中空角材状のスペーサ２０が貼着されており、スペーサ２０は、例えばアルミニウム、プラスチック等により製作される。スペーサ２０の上下（シートの上下端）には、それぞれ一つの矩形状の永久磁石２２，２２（図３では一つだけ示した）が貼着されており、永久磁石２２，２２の各々には、断面Ｕ字状の鉄板２４，２４が取り付けられている。
【００１９】
また、永久磁石２２，２２と鉄板２４，２４は、プラスチックカバー２６，２６で覆われており、シート体Ｓの使用時における美観を向上させている。上部プラスチックカバー２６の上端部はシート２の上縁部から上方に、また、下部プラスチックカバー２６の下端部はシート２の下縁部から下方にそれぞれ突出しており、この突出部に略Ｕ字状の切り欠き２６ａ，２６ａが形成されている。プラスチックカバー２６，２６の切り欠き２６ａ，２６ａとは反対側の端部には挿入部２６ｂ、２６ｂが形成されており、この挿入部２６ｂ、２６ｂがスペーサ２０の上端部及び下端部に挿入され保持されている。
【００２０】
なお，シート２、永久磁石６，８，８，２２，２２、鉄板１０，１０，２４，２４、スペーサ２０、プラスチックカバー２６，２６、筒体１２はすべて接着剤等により一体的に接合される。
【００２１】
上記構成のシート体Ｓの非使用時、シート２は巻取り具４に巻回されており、キャップ１４，１４の中心に設けられた留め具１６，１６を弾性部材１８，１８の弾性力に抗して引き出し、プラスチックカバー２６，２６の切り欠き２６ａ，２６ａに係止することにより、シート２は巻取り具４の周囲に保持されている。
【００２２】
このシート体Ｓを使用する場合、留め具１６，１６とプラスチックカバー２６，２６の切り欠き２６ａ，２６ａとの係止をまず解除し、シート２の片側（図１及び図５では左側）の上端部及び下端部に取り付けられた永久磁石２２，２２を黒板あるいはホワイトボード等の被磁着体に磁着させてシート２の片側を固定する。
【００２３】
次に、巻取り具４を被磁着体に沿って回転させてシート２を展張することによりシート２の裏面に形成されたマグネットシートを被磁着体に磁着させる。さらに、シート２の反対側（図１及び図５では右側）の上端部及び下端部に取り付けられた永久磁石８，８及びその間に設けられた永久磁石６を被磁着体に磁着させることによりシート体Ｓの被磁着体への固定が完了する（図５）。
【００２４】
この時、上述したように、キャップ１４，１４の係止部１４ａ，１４ａに形成された切り欠き部１４ｂ，１４ｂの端面とシート２の裏面とがほぼ面一となっていることから、シート体Ｓの使用時、シート２の裏面及び切り欠き部１４ｂ，１４ｂの端面が被磁着体に密着し、シート体Ｓは確実に保持される。
【００２５】
なお、図５に示されるように、鉄板１０，１０，２４，２４の外端をシート２の裏面より僅かに（例えば、０．２〜０．３ｍｍ）突出させているのは、永久磁石８，８，２２，２２の磁着力を増大させるためである。
【００２６】
なお、上記実施の形態において、シート体Ｓのシート２として筆記ボード／反射型スクリーン両用シートを例に取り説明したが、シート２の裏面にマグネットシートが設けられていれば、筆記ボード／反射型スクリーン両用シート以外のシートも適用可能である。
【００２７】
また、上記実施の形態において、シート２の片側に三つの永久磁石６，８，８を取り付ける一方、シート２の反対側に二つの永久磁石２２，２２とスペーサ２０を取り付けるようにしたが、シート２の両側にそれぞれ一つの帯状の永久磁石を取り付け、各永久磁石を一つの断面Ｕ字状の鉄板で覆うこともできる。
【００２８】
さらに、図２において、巻取り具４側の上下の永久磁石８，８の間には帯状の永久磁石６のみ設けられているが、永久磁石６の磁力が巻取り具４の重量に比べて十分に大きければ、永久磁石６の長さを短くすることもできる。すなわち、永久磁石６よりも短い永久磁石を高さ方向の中央部に配置するとともに、この永久磁石と上下の永久磁石８，８との間に、例えば樹脂の発泡体であるスペーサを配置することもできる。あるいは、上下の永久磁石８，８の間に、複数の永久磁石と複数のスペーサを交互に配置する構成とすることもできる。
【００２９】
また、上記実施の形態において、永久磁石６とスペーサ２０は、略同一幅であるように記載したが、必ずしも同じ幅にする必要はなく、永久磁石８，８，２２，２２の幅についても同様である。
【００３０】
また、シート２の反りの発生防止と、シート２の巻取りあるいは展張時の操作性の点から、巻取り具４の直径は、例えば２０φ〜７０φに設定される。
【００３１】
【発明の効果】
本発明は、以上説明したように構成されているので、以下に記載されるような効果を奏する。
本発明のうちで請求項１に記載の発明によれば、裏面にマグネットシートが形成されたシートの一側に第１永久磁石を取り付ける一方、シートの他側に第２永久磁石と巻取り具とを取り付けたので、非使用時、シートを巻取り具に巻回することができるとともに、使用時、シートを巻取り具より展張してマグネットシートと第１及び第２永久磁石を被磁着体に磁着させ保持することができ、利便性の向上した巻取り具付きシート体を提供することができる。
また、巻取り具の両端に留め具を取り付ける一方、第１永久磁石に取り付けられたカバーに切り欠きを形成し、非使用時、留め具を切り欠きに係止するようにしたので、シートが巻取り具に確実に保持され、シートにクラックや皺が発生することのない信頼性の高い巻取り具付きシート体を提供することができる。
【００３２】
また、請求項２に記載の発明によれば、巻取り具の軸方向に形成された凹部に第２永久磁石を固定したので、非使用時、シートを巻取り具にスムーズに巻回することができ、シートにクラックや皺が発生したりすることがない。
【００３４】
また、請求項３に記載の発明によれば、二つの永久磁石の間にスペーサあるいは永久磁石を取り付けるようにしたので、シートの両端部に反りが発生することがなく、信頼性の高い巻取り具付きシート体を提供することができる。
【００３５】
また、請求項４に記載の発明によれば、シートとして筆記ボード／反射型スクリーン両用シートを使用したので、筆記ボードとしてもスクリーンとしても利用でき、利便性が向上する。
【図面の簡単な説明】
【図１】  本発明にかかる巻取り具付きシート体の斜視図である。
【図２】  図１のシート体の片側に設けられた巻取り具の要部分解斜視図である。
【図３】  図１のシート体の反対側の要部分解斜視図である。
【図４】  図３の要部の縦断面図である。
【図５】  図１のシート体の横断面図である。
【符号の説明】
２    シート
４    巻取り具
６，８，２２  永久磁石
１０，２４  鉄板
１２  筒体
１２ａ  凹部
１４  キャップ
１４ａ  係止部
１４ｂ  切り欠き部
１６  留め具
１８  弾性部材
２０  スペーサ
２６  プラスチックカバー
２６ａ  切り欠き
２６ｂ  挿入部
Ｓ    巻取り具付きシート体
【図１】
0004221138.tif 000002
【図２】
0004221138.tif 000003
【図３】
0004221138.tif 000004
【図４】
0004221138.tif 000005
【図５】
0004221138.tif 000006